(57)【要約】【課題】  公衆電話交換回線網経由およびインターケット経由でファクシミリデータを送信する場合のユーザの利便性を高める。【解決手段】  インターネットファクシミリ装置１００は、ファクシミリデータをインターネット経由で送信する第１送信部１１２と、ファクシミリデータを公衆電話交換回線網経由で送信する第２送信部１１４と、第１送信部１１２によるファクシミリデータの送信が失敗したときに、第２送信部１１４による当該ファクシミリデータの送信を許可するか否かを、ファクシミリデータのデータ量またはファクシミリデータの送信先の種類に対応付けて記憶する処理記憶部１２２とを含む。【選択図】      図２
2007096953.tif 000002
【特許請求の範囲】
【請求項１】
ファクシミリデータをインターネット経由で送信する第１送信部と、
ファクシミリデータを公衆電話交換回線網経由で送信する第２送信部と、
前記第１送信部によるファクシミリデータの送信が失敗したときに、前記第２送信部による当該ファクシミリデータの送信を許可するか否かを、ファクシミリデータのデータ量または送信先の種類に対応付けて記憶する処理記憶部と、
指定された送信先への前記第１送信部によるファクシミリデータの送信が失敗したときに、当該ファクシミリデータのデータ量または送信先の種類に基づき、前記処理記憶部を参照して前記第２送信部による当該ファクシミリデータの送信が許可されているか否かを判断し、許可されている場合に当該ファクシミリデータを前記第２送信部に送信させる送信処理部と、
を含む通信端末装置。
【請求項２】
請求項１に記載の通信端末装置において、
前記処理記憶部は、前記第２送信部によるファクシミリデータの送信を許可するか否かを、ファクシミリデータのデータ量に対応付けて記憶する通信端末装置。
【請求項３】
請求項１または２に記載の通信端末装置において、
前記処理記憶部は、前記第２送信部によるファクシミリデータの送信を許可するか否かを、ファクシミリデータがカラー画像か否かに対応付けて記憶する通信端末装置。
【請求項４】
請求項１乃至３いずれかに記載の通信端末装置において、
前記処理記憶部は、前記第２送信部によるファクシミリデータの送信を許可するか否かを、ファクシミリデータの送信先の存在地を示す情報に対応付けて記憶する通信端末装置。
【請求項５】
請求項４に記載の通信端末装置において、
前記第１送信部でファクシミリデータを送信するための第１種アドレス情報と、前記第２送信部でファクシミリデータを送信するための第２種アドレス情報とを対応付けて記憶するアドレス情報記憶部をさらに含み、
前記送信先の存在地を示す情報は、前記第２種アドレス情報の一部である通信端末装置。
【請求項６】
請求項１乃至５いずれかに記載の通信端末装置において、
前記処理記憶部は、前記第２送信部による当該ファクシミリデータの送信が許可されていない場合、代替処理を対応付けて記憶する通信端末装置。
【請求項７】
請求項６に記載の通信端末装置において、
前記代替処理は、前記ファクシミリデータのデータ量を減らす処理を行った後のファクシミリデータを前記第２送信部により送信することである通信端末装置。
【請求項８】
請求項７に記載の通信端末装置において、
画像データのデータ量を減らす処理を行う画像変換部をさらに含み、
前記送信処理部は、前記代替処理がファクシミリデータのデータ量を減らす処理を行い、処理後のファクシミリデータを前記第２送信部により送信することである場合、前記画像変換部にファクシミリデータのデータ量を減らす処理を行わせ、処理後のファクシミリデータを前記第２送信部に送信させる通信端末装置。
【発明の詳細な説明】
【技術分野】
【０００１】
この発明は、通信端末装置に関する。
【背景技術】
【０００２】
ネットワーク技術の普及にともない、たとえばファクシミリ装置やＭＦＰ（Multi Functional Peripheral）等の情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファクシミリ通信機能、ネットワークを介したＩＰ電話によるＩＰファクシミリ通信機能等を備え、他のファクシミリ装置、コンピュータ、およびインターネットファクシミリ装置等と情報の送受信を行うことができる。
【０００３】
従来のインターネットファクシミリ装置としては、たとえば、特許文献１に記載されたものがある。同文献に記載されたインターネットファクシミリ装置は、インターネットを介した画像情報の送信失敗時に、Ｇ３ファクシミリ送信に自動的に切り換える構成を有している。
【０００４】
特許文献２には、複数の送信モードを備え、画情報を送信する際に、指定された宛先のアドレス情報に対応する送信モードをセットして送信処理を実行するネットワークファクシミリ装置が開示されている。ここで、ファクシミリ装置は、最初にセットした送信モードを適用した送信処理を行えない場合には、他の送信モードを適用するフォールバック機能を備えるとともに、指定された宛先にフォールバック禁止が設定されている場合には、フォールバック機能を使用しない送信処理手段を含む。
【特許文献１】特許第３０５５５２１号
【特許文献２】特許第３６５３５５８号
【発明の開示】
【発明が解決しようとする課題】
【０００５】
しかしながら、上記文献記載の従来技術は、以下の点で改善の余地を有していた。
特許文献１に記載の技術では、インターネット経由でのファクシミリの伝送が失敗した場合に、自動的に公衆回線によりファクシミリの伝送が行われてしまう。これにより、ユーザの意思に反して通信料金が高額になってしまうことがあった。また、特許文献２にでは、宛先毎にフォールバック禁止を設定しなければならず、ユーザの手間がかかるという問題があった。また、フォールバック禁止が設定されている場合、インターネット経由でのファクシミリの伝送が失敗すると、エラーとなってしまい、柔軟性がなかった。
【０００６】
本発明は上記事情に鑑みてなされたものであり、その目的とするところは、公衆電話交換回線網経由およびインターケット経由でファクシミリデータを送信する場合のユーザの利便性を高めることにある。
【課題を解決するための手段】
【０００７】
本発明によれば、
ファクシミリデータをインターネット経由で送信する第１送信部と、
ファクシミリデータを公衆電話交換回線網経由で送信する第２送信部と、
前記第１送信部によるファクシミリデータの送信が失敗したときに、前記第２送信部による当該ファクシミリデータの送信を許可するか否かを、ファクシミリデータのデータ量またはファクシミリデータの送信先の種類に対応付けて記憶する処理記憶部と、
指定された送信先への前記第１送信部によるファクシミリデータの送信が失敗したときに、当該ファクシミリデータのデータ量または前記送信先の種類に基づき、前記処理記憶部を参照して前記第２送信部による当該ファクシミリデータの送信が許可されているか否かを判断し、許可されている場合に当該ファクシミリデータを前記第２送信部に送信させる送信処理部と、
を含む通信端末装置が提供される。
【０００８】
ここで、ファクシミリデータとは、スキャナ等で読み取られ送信用の画像データに変換されたものや、記憶装置に記憶されている画像データであり、画像データは電子メールに添付されたり、符号化圧縮変換されたりした後、送信される。
【０００９】
ここで、ファクシミリデータのデータ量は、たとえばファクシミリデータの解像度、カラーか白黒か等である。ファクシミリデータの送信先の種類は、たとえば送信先が国内にあるか海外にあるか等の存在地や地域性とすることができる。このように、ファクシミリデータのデータ量や送信先の種類を設定することにより、第２送信部でファクシミリデータを送信すると通信料金が高くなるような場合に、第２送信部によるファクシミリデータの送信を許可しないようにすることができる。また、送信先毎に個別に設定するのではなく、ファクシミリデータのデータ量や送信先の種類に応じた設定だけしておけばよいので、ユーザの利便性も高まる。
【００１０】
本発明の通信端末装置において、前記処理記憶部は、前記第２送信部によるファクシミリデータの送信を許可するか否かを、ファクシミリデータのデータ量に対応付けて記憶することができる。
【００１１】
本発明の通信端末装置において、前記処理記憶部は、前記第２送信部によるファクシミリデータの送信を許可するか否かを、ファクシミリデータがカラー画像か否かに対応付けて記憶することができる。
【００１２】
本発明の通信端末装置において、前記処理記憶部は、前記第２送信部によるファクシミリデータの送信を許可するか否かを、ファクシミリデータの送信先の存在地を示す情報に対応付けて記憶することができる。
【００１３】
本発明の通信端末装置において、前記第１送信部でファクシミリデータを送信するための第１種アドレス情報と、前記第２送信部でファクシミリデータを送信するための第２種アドレス情報とを対応付けて記憶するアドレス情報記憶部をさらに含むことができ、前記送信先の存在地を示す情報は、前記第２種アドレス情報の一部とすることができる。第２種アドレス情報は、ファクシミリ番号とすることができ、ファクシミリ番号の上位所定桁数の数字列等に基づき、ファクシミデータの送信先の存在地を判断するようにすることができる。
【００１４】
本発明の通信端末装置において、前記処理記憶部は、前記第２送信部による当該ファクシミリデータの送信が許可されていない場合、代替処理を対応付けて記憶することができる。
【００１５】
本発明の通信端末装置において、前記代替処理は、前記ファクシミリデータのデータ量を減らす処理を行った後のファクシミリデータを前記第２送信部により送信することとすることができる。これにより、第２送信部でファクシミリデータを送信する場合であっても、通信料金が高くなるのを防ぐことができる。
【００１６】
本発明の通信端末装置は、画像データのデータ量を減らす処理を行う画像変換部をさらに含むことができ、前記送信処理部は、前記代替処理がファクシミリデータのデータ量を減らす処理を行い、処理後のファクシミリデータを前記第２送信部により送信することである場合、前記画像変換部にファクシミリデータのデータ量を減らす処理を行わせ、処理後のファクシミリデータを前記第２送信部に送信させることができる。なお、画像変換部は、通信端末装置外部に設けられた構成とすることもでき、その場合、送信処理部は、外部の画像変換部にデータ量を減らす処理を行わせることもできる。
【００１７】
以上の構成要素の任意の組合せ、本発明の表現を方法、装置、システム、記録媒体、コンピュータプログラム等の間で変換したものもまた、本発明の態様として有効である。
【発明の効果】
【００１８】
本発明によれば、公衆電話交換回線網経由およびインターケット経由でファクシミリデータを送信する場合のユーザの利便性を高めることができる。
【発明を実施するための最良の形態】
【００１９】
以下、本発明の実施の形態について、図面を用いて説明する。尚、すべての図面において、同様な構成要素には同様の符号を付し、適宜説明を省略する。
【００２０】
本発明の通信端末装置は、たとえば、インターネットやＬＡＮ等のネットワークに接続されたインターネットファクシミリ装置やＭＦＰ（Multi Functional Peripheral）等とすることができる。以下、通信端末装置がインターネットファクシミリ装置である場合を例として説明する。なお、以下に示す各図において、本発明の本質に関わらない部分の構成は省略する。
【００２１】
（第１の実施の形態）
図１は、本実施の形態のインターネットファクシミリ装置のハードウェア構成の一例を示すブロック図である。
インターネットファクシミリ装置１００は、ＣＰＵ（Central Processing Unit）やＭＰＵ（Micro Processing Unit）等からなる制御部１０と、ＲＯＭ（Read Only Memory）１２と、ＲＡＭ（Random Access Memory）１４と、画像メモリ１６と、スキャナ１７と、プリンタ１８と、ネットワークインタフェース（図中、「ネットワークＩ／Ｆ」と示す）２０と、ＮＣＵ（Network Control Unit）２２と、モデム２４と、ＣＯＤＥＣ（Coder and Decoder：符号化復号器）２６と、操作部２８と、表示部３０と、これらを接続するバス３２とを含む。
【００２２】
制御部１０は、インターネットファクシミリ装置１００の各要素にバス３２を介して接続され、各要素とともに、装置全体を制御する。ＮＣＵ２２は、公衆電話交換回線網（図中、「ＰＳＴＮ（Public Switched Telephone Networks）」と示す）３に接続される電話回線とインターネットファクシミリ装置１００との接続を制御する。また、ＮＣＵ２２は、通信相手の電話番号（またはファクシミリ番号）のダイヤル信号を送出したり着信を検出する。モデム２４は、音声信号とデジタルデータとの間の変復調を行う。
【００２３】
スキャナ１７は、原稿の画像を読み取り画像データを生成し、それを画像メモリ１６に記憶する。スキャナ１７は、たとえば、ＣＣＤイメージセンサ等を含む。ＣＯＤＥＣ２６は、画像メモリ１６に記憶された画像データを符号化したり、受信した画像データを復号して画像メモリ１６に記憶する。プリンタ１８は、画像データを用紙に印字出力する。
【００２４】
操作部２８は、たとえば、キーボード、シートキー、ボタン、スイッチ、タッチパネル、マウス等を含み、インターネットファクシミリ装置１００の操作指示や入力を行う。操作部２８は、たとえば、ファックスやコピーの開始等を指示するスタートキー、電話番号やファクシミリ番号等を入力するためのテンキー等を含む。表示部３０は、たとえば、操作部２８の操作により入力された電話番号やファクシミリ番号、プリンタ１８のトナー残量等の各種情報、アドレス帳、操作指示画面等を表示する。表示部３０は、たとえば、ＣＲＴ（Cathode Ray Tube）ディスプレイ、液晶表示装置（ＬＣＤ：Liquid Crystal Display）、ＬＥＤ（Light Emitting Diode）表示器等により構成することができる。
【００２５】
ＲＯＭ１２は、インターネットファクシミリ装置１００全体の動作を制御するためのプログラム等が記録される。ＲＡＭ１４は、制御部１０による制御に必要なデータおよび制御動作時に一時記憶が必要なデータ等を記憶する。なお、本実施の形態において、インターネットファクシミリ装置１００の起動時には、ＲＯＭ１２に記憶されているプログラムは、一旦、ＲＡＭ１４にロードされてから、ＲＡＭ１４上で制御部１０により実行される。画像メモリ１６は、スキャナ１７が読み取った画像データやインターネットファクシミリ装置１００が外部から受信した画像データを記憶する。
【００２６】
ネットワークインタフェース２０は、ネットワーク１を介したインターネットファクシミリ装置１００と他のファクシミリ端末等との通信を制御する。本実施の形態において、ネットワーク１は、インターネットである。
【００２７】
図２は、本実施の形態におけるインターネットファクシミリ装置１００の構成の一例を示す機能ブロック図である。
【００２８】
図２は、ハードウェア単位の構成ではなく、機能単位のブロックを示している。
図２に示したインターネットファクシミリ装置１００の各構成要素は、任意のコンピュータのＣＰＵ、メモリ、メモリにロードされた本図の構成要素を実現するプログラム、そのプログラムを格納するハードディスク等の記憶ユニット、ネットワーク接続用インタフェースを中心にハードウェアとソフトウェアの任意の組合せによって実現される。そして、その実現方法、装置にはいろいろな変形例があることは、当業者には理解されるところである。
【００２９】
インターネットファクシミリ装置１００は、指示受付部１０２、画像データ取得部１０４、送信処理部１０６、送信データ生成部１０８、画像変換部１１０、第１送信部１１２、第２送信部１１４、出力部１１６、アドレス情報記憶部１２０、処理記憶部１２２、画像データ記憶部１２４、および送信データ記憶部１２６を含む。
【００３０】
第１送信部１１２は、ファクシミリデータをネットワーク１経由で送信する。第１送信部１１２は、メールアドレスやＩＰ電話番号で指定された送信先に、ファクシミリデータを送信する。具体的には、たとえば、第１送信部１１２は、メールアドレスに基づき、送信先のＩＰアドレスをＤＮＳ（Domain Name System）を介して取得し、ＳＭＴＰ（Simple Mail Transfer Protocol）等のプロトコルを使用してファクシミリデータをネットワーク１経由で送信先に送信する。また、たとえば、第１送信部１１２は、ＩＰ電話番号に基づき、ＳＩＰ（Session Initiation Protocol）等の所定のプロトコルを使用してファクシミリデータをネットワーク１経由で送信先に送信する。第１送信部１１２は、図１の制御部１０およびネットワークインタフェース２０により構成することができる。
【００３１】
第２送信部１１４は、Ｇ３やＧ４などのファクシミリ通信プロトコルを利用して、ファクシミリデータをＰＳＴＮ３経由で送信する。第２送信部１１４は、ファクシミリ番号で指定された送信先に、ファクシミリデータを送信する。第２送信部１１４は、図１の制御部１０、ＮＣＵ２２およびモデム２４により構成することができる。
【００３２】
指示受付部１０２は、インターネットファクシミリ装置１００の操作パネル上に設けられた操作ボタン等から入力されるユーザの指示を受け付ける。たとえば、指示受付部１０２は、ユーザから、ファクシミリデータの送信先のアドレス情報の指定とともに、ファクシミリデータの送信指示を受け付ける。
【００３３】
出力部１１６は、各種データを出力することができる。出力部１１６は、たとえば表示部３０（図１）に必要な情報を表示させたり、印刷処理部（不図示）にデータを出力して印刷処理を行わせる。
【００３４】
画像データ取得部１０４は、画像データを取得する。たとえば、画像データ取得部１０４は、図１のスキャナ１７により読み取られた原稿に基づき生成された画像データを取得する。また、画像データ取得部１０４は、ネットワークを介して接続された他の端末から画像データを取得することもできる。画像データ取得部１０４は、取得した画像データを画像データ記憶部１２４に記憶する。画像データ記憶部１２４は、図１の画像メモリ１６により構成することができる。
【００３５】
アドレス情報記憶部１２０は、送信先毎に、送信先名称と、第１送信部１１２でファクシミリデータを送信するための第１種アドレス情報と、第２送信部１１４でファクシミリデータを送信するための第２種アドレス情報とを対応付けて記憶する。ここで、第１種アドレス情報は、メールアドレスやＩＰ電話番号とすることができる。第２種アドレス情報は、ファクシミリ番号とすることができる。以下、本実施の形態において、第１種アドレス情報がメールアドレスの場合を例として説明する。
【００３６】
図３は、アドレス情報記憶部１２０の内部構成の一例を示す図である。アドレス情報記憶部１２０は、送信先名称覧、メールアドレス覧およびファクシミリ番号欄を含む。
【００３７】
図２に戻り、送信データ生成部１０８は、画像データ記憶部１２４に記憶された画像データを送信データに変換する。送信データ生成部１０８は、ファクシミリデータが第１送信部１１２および第２送信部１１４のいずれにより送信されるかに応じて、対応する送信データを生成する。送信データ生成部１０８は、たとえば画像データ記憶部１２４に記憶された画像データを電子メールに添付する処理を行ったり、符号化圧縮変換したりする。送信データ生成部１０８は、生成した送信データを送信データ記憶部１２６に記憶する。
【００３８】
画像変換部１１０は、画像データ記憶部１２４に記憶された画像データまたは送信データ記憶部１２６のデータ量を減らす処理を行う。
【００３９】
送信処理部１０６は、指示受付部１０２が受け付けたユーザからの指示等に基づき、第１送信部１１２および第２送信部１１４によるファクシミリデータの送信を制御する。送信処理部１０６は、ユーザからの指示等に基づき、第１送信部１１２および第２送信部１１４のいずれによりファクシミリデータを送信するかを決定する。送信処理部１０６は、送信データ記憶部１２６から送信データを読み出し、第１送信部１１２または第２送信部１１４に当該送信データをファクシミリデータとして送信させる。また、送信処理部１０６は、第１送信部１１２や第２送信部１１４によるファクシミリ送信が正常に終了したか否かを検出する。
【００４０】
本実施の形態において、送信処理部１０６は、指定された送信先への第１送信部１１２によるファクシミリデータの送信が失敗したときに、第２送信部１１４による当該ファクシミリデータの送信が許可されているか否かを判断し、許可されている場合に当該ファクシミリデータを第２送信部１１４に送信させる。
【００４１】
処理記憶部１２２は、第１送信部１１２によるファクシミリデータの送信が失敗したときに、第２送信部１１４による当該ファクシミリデータの送信を許可するか否かを、ファクシミリデータのデータ量または送信先の種類に対応付けて記憶する。データ量とは、たとえば、ファクシミリデータの解像度やカラー画像か白黒か等である。送信先の種類とは、たとえば、ファクシミリデータの送信先が国内か海外か等の送信先の存在地や地域性である。
【００４２】
送信処理部１０６は、処理記憶部１２２を参照して、第２送信部１１４によるファクシミリデータの送信が許可されているか否かを判断する。送信処理部１０６は、処理記憶部１２２を参照して、第２送信部１１４によるファクシミリデータの送信が許可されている場合は、さらにアドレス情報記憶部１２０を参照し、指定された送信先に対応するファクシミリ番号を取得する。送信処理部１０６は、第２送信部１１４にこのファクシミリ番号を通知し、ファクシミリデータを送信させる。
【００４３】
また、処理記憶部１２２は、第２送信部１１４による当該ファクシミリデータの送信が許可されていない場合、代替処理を対応付けて記憶する。代替処理は、たとえば、ファクシミリデータのデータ量を減らす処理を行い、処理後のファクシミリデータを第２送信部１１４により送信することとすることができる。たとえば、カラーのファクシミリデータの第１送信部１１２による送信が失敗した場合の代替処理として、カラー画像を白黒画像に変換した後に、その白黒画像を第２送信部１１４により送信させることができる。また、代替処理として、送信処理を終了して、出力部１１６によりエラー通知を行わせることもできる。出力部１１６は、エラーメッセージを表示部３０に表示したり、印刷処理部により印刷させたりすることができる。また、この場合、出力部１１６は、送信失敗時の送信先として、予め登録しておいたメールアドレスにエラー通知を送信することもできる。
【００４４】
図４は、処理記憶部１２２の内部構成の一例を示す図である。
処理記憶部１２２は、データ量覧、送信先の種類覧、送信可否覧および代替処理覧を含む。ここで、たとえばファクシミリデータが白黒のとき、送信先の種類に関わらず、第２送信部１１４により送信可能となっている。たとえば、ファクシミリデータがカラーで通常モードのとき、送信先が国内の場合は、第２送信部１１４により送信可能となっている。一方このとき、送信先が海外の場合は、第２送信部１１４による送信は不可となっている。ここで、代替処理として、白黒変換後に第２送信部１１４により送信可能と記憶されている。また、たとえば、ファクシミリデータがカラーで精細モードのとき、送信先が国内の場合は、第２送信部１１４により送信可能となっている。一方このとき、送信先が海外の場合は、第２送信部１１４による送信は不可となっている。ここで、代替処理としてエラー通知と記憶されている。
【００４５】
なお、ここでは、「国内」や「海外」と記載しているが、送信先の種類覧には、たとえば第２種アドレス情報、すなわちファクシミリ番号の一部を記憶しておくことができる。たとえば、送信先の種類覧には、ファクシミリ番号の上位所定桁数を記憶しておくことができる。たとえば、図中「海外」と記載している箇所に、「１」等の海外の国番号や、その番号の規則を示す数式を記憶しておくことができる。また、図中「国内」と記載している箇所に、「０３」や「０６」等の市外局番やその番号の規則を示す数式を記憶しておくことができる。
【００４６】
図４に示したような処理記憶部１２２の設定は、ユーザが予め指示受付部１０２から行うことができる。たとえば、ファクシミリデータが白黒の場合は、データ量が小さいため、海外であっても通信料金がそれほど高くならないため、送信先の存在地の種類に関わらず、第２送信部１１４による再送信を可能とすることができる。また、たとえばファクシミリデータがカラーの詳細モードの場合、ユーザが詳細モードのデータを送信することを希望しているのであるから、それを白黒に変換してまで再送信する必要性が高くないことがある。白黒のデータであっても、第２送信部１１４により海外にファクシミリデータを送信する際には通信料金がある程度かかることになる。そのため、必要性が高くない処理については行わないように設定しておくことができる。
【００４７】
図２に戻り、送信処理部１０６は、代替処理として、画像を変換した後に第２送信部１１４により送信可能と設定されていた場合、画像変換部１１０に対応する画像データの変換を行わせる。なお、送信処理部１０６は、予め処理記憶部１２２を参照しておき、第１送信部１１２によるファクシミリデータの送信失敗を検出する前に、画像変換部１１０に画像データの変換を行わせておくこともできる。
【００４８】
次に、本実施の形態におけるインターネットファクシミリ装置１００の動作を説明する。図５は、本実施の形態のインターネットファクシミリ装置１００の動作の一例を示すフローチャートである。以下、図１から図４も適宜参照して説明する。
指示受付部１０２が、メールアドレスの指定を受け付けるとともに、ファクシミリデータ送信の開始指示を受け付けると（Ｓ１００のＹＥＳ、Ｓ１０２のＹＥＳ）、送信処理部１０６は、アドレス情報記憶部１２０を参照して、その電子メールに対応するファクシミリ番号が記憶されているか否かを判断する（Ｓ１０４）。対応するファクシミリ番号が記憶されている場合（Ｓ１０４のＹＥＳ）、送信処理部１０６は、メールアドレスとファクシミリ番号とを対応づけて、一次記憶領域に保持しておく（Ｓ１０６）。なお、この処理は、第１送信部１１２によるファクシミリデータの送信処理が失敗した後に行うこともできる。
【００４９】
つづいて、送信処理部１０６は、第１送信部１１２によりネットワーク１経由でファクシミリデータを送信させる（Ｓ１０８）。送信処理部１０６は、第１送信部１１２による送信にエラーがなかったか否かを判断する（Ｓ１１０）。エラーが生じた場合（Ｓ１１０ＹＥＳ）、送信処理部１０６は、処理記憶部１２２を参照して、ファクシミリデータのデータ量、および送信先の種類に基づき、第２送信部１１４によるファクシミリデータの送信が許可されているか否かを判断する（Ｓ１１２）。第２送信部１１４によるファクシミリデータの送信が許可されている場合（Ｓ１１２のＹＥＳ）、第２送信部１１４により、ＰＳＴＮ３経由でファクシミリデータを送信先に送信させる（Ｓ１１４）。
【００５０】
一方、ステップＳ１１２で、第２送信部１１４によるファクシミリデータの送信が許可されていない場合（Ｓ１１２のＮＯ）、送信処理部１０６は、処理記憶部１２２を参照して、ファクシミリデータの画像を変換した後に変換後のデータを第２送信部１１４により送信可能か否かを判断する（Ｓ１１８）。画像変換後に送信可能な場合（Ｓ１１８のＹＥＳ）、送信処理部１０６は、画像変換部１１０に画像変換を行わせる（Ｓ１２０）。その後、送信処理部１０６は、変換後のファクシミリデータを第２送信部１１４に送信させる（Ｓ１１４）。送信処理部１０６は、処理記憶部１２２の設定に従って、以上の動作を行う。
【００５１】
また、ステップＳ１１８で、画像変換後にも第２送信部１１４による送信が許可されていない場合（Ｓ１１８のＮＯ）、送信処理部１０６は、出力部１１６にエラー通知を行わせる（Ｓ１２２）。
【００５２】
ステップＳ１１４の後、送信処理部１０６は、第２送信部１１４によるファクシミリデータの送信にエラーがなかったか否かを判断し（Ｓ１１６）、エラーがあった場合（Ｓ１１６のＹＥＳ）、ステップＳ１２２に進み、エラー通知を行う。ステップＳ１１６でエラーがなかった場合（Ｓ１１６のＮＯ）、処理を終了する。また、ステップＳ１１０でエラーがなかった場合（Ｓ１１０のＮＯ）も処理を終了する。
【００５３】
ステップＳ１１２で、たとえば送信先が図３に示した「Ｂ」の場合、送信処理部１０６は、送信先「Ｂ」のファクシミリ番号「１−＊＊＊−＊＊＊−１１１１」の最初の「１」から、この送信先が海外にあることを把握することができる。このとき、ファクシミリデータが白黒であれば、処理記憶部１２２の設定に従い（図４参照）、第２送信部１１４によるファクシミリデータの送信が許可されていると判断する（Ｓ１１２のＹＥＳ）。一方、ファクシミリデータがカラー通常またはカラー詳細の場合は、第２送信部１１４によるファクシミリデータの送信が許可されていないと判断する（Ｓ１１２のＮＯ）。また、ファクシミリデータがカラー通常の場合、送信処理部１０６は、ステップＳ１１８で、画像変換後に第２送信部１１４によるファクシミリデータの送信が可能であると判断する（Ｓ１１８のＹＥＳ）。ファクシミリデータがカラー詳細の場合、送信処理部１０６は、ステップＳ１１８で、第２送信部１１４によるファクシミリデータの送信が不可であると判断し（Ｓ１１８のＮＯ）、エラー通知を行う（Ｓ１２２）。
【００５４】
以上、本実施の形態におけるインターネットファクシミリ装置１００によれば、公衆電話交換回線網経由およびインターケット経由でファクシミリデータを送信する場合のユーザの利便性を高めることができる。
【００５５】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５６】
以上の実施の形態において、インターネットファクシミリ装置１００は、ファクシミリ、プリンタ、コピー、スキャン機能等を統合したネットワーク複合機とすることができる。インターネットファクシミリ装置１００は、ＭＦＰ（Multi Functional Peripheral）等とすることができる。
【００５７】
また、本発明の通信端末装置は、プリンタ、コピー、スキャン機能等を有しない装置とすることもできる。このような場合でも、上述したのと同様の効果が得られる。
【００５８】
また、以上の実施の形態において、たとえば図４に示したように、第２送信部１１４によるファクシミリデータの送信可否をデータ量およびデータの送信先の種類の両方に対応付けて設定する例を示したが、これらの一方のみに対応付けた構成とすることもできる。
【図面の簡単な説明】
【００５９】
【図１】本発明の実施の形態におけるインターネットファクシミリ装置のハードウェア構成の一例を示すブロック図である。
【図２】本発明の実施の形態におけるインターネットファクシミリ装置を示す機能ブロック図である。
【図３】アドレス情報記憶部の内部構成の一例を示す図である。
【図４】処理記憶部の内部構成の一例を示す図である。
【図５】本実施の形態におけるインターネットファクシミリ装置の動作を示すフローチャートである。
【符号の説明】
【００６０】
１  ネットワーク
３  ＰＳＴＮ
１０  制御部
１２  ＲＯＭ
１４  ＲＡＭ
１６  画像メモリ
１７  スキャナ
１８  プリンタ
２０  ネットワークインタフェース
２２  ＮＣＵ
２４  モデム
２６  ＣＯＤＥＣ
２８  操作部
３０  表示部
３２  バス
１００  インターネットファクシミリ装置
１０２  指示受付部
１０４  画像データ取得部
１０６  送信処理部
１０８  送信データ生成部
１１０  画像変換部
１１２  第１送信部
１１４  第２送信部
１１６  出力部
１２０  アドレス情報記憶部
１２２  処理記憶部
１２４  画像データ記憶部
１２６  送信データ記憶部
【図１】
2007096953.tif 000003
【図２】
2007096953.tif 000004
【図３】
2007096953.tif 000005
【図４】
2007096953.tif 000006
【図５】
2007096953.tif 000007